(57)【要約】【課題】配線簡略化、外観の見栄え向上を可能としたセキュリティシステムを提供すること。【解決手段】窓２，４側に固定配備される磁石６，８と、窓２，４の閉じ位置で磁石６，８が発生する磁気が検知可能な位置に固定配備され上記磁気の非検知に係る信号を特定小電力無線で送信する無線磁気センサ１０，１２と、上記無線磁気センサ１０，１２が送信する信号を特定小電力無線で受信する無線受信装置１６と、受信装置の出力に応答してセキュリティ動作するセキュリティ作動装置１８，２０と、を備えた構成。【選択図】図１
2008217519.tif 000002
【特許請求の範囲】
【請求項１】
窓やドア等の開閉体側に固定配備される磁気発生装置と、上記開閉体の開閉位置に対応して上記磁気発生装置が発生する磁気を検知可能な位置に固定配備されかつその検知に係る信号を特定小電力無線で送信する無線磁気センサと、上記無線磁気センサが送信する信号を特定小電力無線で受信する無線受信装置と、上記無線受信装置の出力に応答してセキュリティ動作するセキュリティ作動装置と、を備えることを特徴とするセキュリティシステム。
【請求項２】
上記無線磁気センサは、上記磁気発生装置が発生する磁気を上記開閉体の閉じ位置と上記閉じ位置以外の位置とで異なるレベルで検知することが可能な位置に固定配備される、ことを特徴とする請求項１に記載のセキュリティシステム。
【請求項３】
請求項１に記載のセキュリティシステムに用いられる無線磁気センサであって、窓やドア等の開閉体側に固定配備される磁気発生装置に対して当該磁気発生装置の発生磁気を上記開閉体の開閉位置に対応して検知することが可能な位置に固定配備され、かつその検知に係る信号を特定小電力無線で送信することができる構成を有する、ことを特徴とする無線磁気センサ。
【発明の詳細な説明】
【技術分野】
【０００１】
本発明は、窓やドア等からの侵入を検知するセキュリティシステムに関するものであり、このセキュリティシステムに用いるための磁気センサに関するものである。
【背景技術】
【０００２】
特開２００５−２０９０６３等には家屋等に設置されたセンサ端末と無線で通信し、侵入者を検知し報知を行うセキュリティシステムが提案されている。また、特開２００４−１３５１９７等には窓の開閉を監視し、窓開閉検知時に無線電波によって検知信号を送信するセンサが提案されている。このようにセキュリティに関してセンサを用いる技術は多数提案されてきている。そして、そのようなセキュリティ用のセンサに磁気センサを用いた技術も特開２００４−１７１１３４等で幾つか提案されている。
【０００３】
しかしながら、磁気センサを用いたセキュリティ技術ではいずれも磁気センサ出力を無線で送信するものではなかった。そのため、いずれも磁気センサ出力を配線で引き回す必要があり、配線引き回しが困難な箇所では採用し難い。特に、窓やドアなどに磁気センサを取り付けた場合では、配線が窓ガラスを通して目視することができる上、外観も見栄えがよくない。一方、磁気センサは例えば窓側磁石を配置し、窓枠側に磁気応答リードスイッチ等の磁気センサを配置すれば、簡易低廉で窓の開閉を検知することが可能である。
【０００４】
そこで、磁気センサ出力を無線で送信することが考えられるが、例えば住宅等、窓やドアが多数設けられている場合、それらに配置した多数の磁気センサから無線で検知信号を送信すると、混信が生じてしまう可能性がある。
【特許文献１】特開２００５−２０９０６３
【特許文献２】特開２００４−１３５１９７
【特許文献３】特開２００４−１７１１３４
【発明の開示】
【発明が解決しようとする課題】
【０００５】
本発明により解決すべき課題は、窓やドアからの侵入を磁気センサを用いて検知する場合、そのセンサ出力を無配線で受信側に送信可能としかつこれら窓やドアに多数の磁気センサを配備しそれらからセンサ出力を無線で送信しても混信することなく受信可能としてセキュリティ性の高いシステムの構築を可能とすることである。
【課題を解決するための手段】
【０００６】
本発明によるセキュリティシステムは、窓やドア等の開閉体側に固定配備される磁気発生装置と、上記開閉体の開閉位置に対応して上記磁気発生装置が発生する磁気を検知可能な位置に固定配備されかつその検知に係る信号を特定小電力無線で送信する無線磁気センサと、上記無線磁気センサが送信する信号を特定小電力無線で受信する無線受信装置と、上記無線受信装置の出力に応答してセキュリティ動作するセキュリティ作動装置と、を備えることを特徴とするものである。
【０００７】
上記無線磁気センサは、上記磁気発生装置が発生する磁気を上記開閉体の閉じ位置と上記閉じ位置以外の位置とで異なるレベルで検知することが可能な位置に固定配備されることが好ましい。
【０００８】
上記無線磁気センサは、上記開閉体の閉じ位置では上記磁気発生装置から遠い位置に配備されていて該磁気発生装置が発生する磁気を所定レベル以上で検知できないが、上記閉じ位置以外の位置では磁気発生装置が近づくようになって磁気をその近づき度合いで所定レベル以上で検知できる位置に固定配備されてもよい。
【０００９】
上記無線磁気センサは、磁石等の磁気発生装置と１対１の関係で配備することに限定されず、Ｎ：Ｍの関係で配備してもよい。
【００１０】
また、磁気発生装置は磁石に限定されるものではなく、例えば開閉体の開閉に応動して磁気を発生するように構成してもよく、無線磁気センサはこの発生磁気の検知に応動可能としてもよい。例えば磁気発生装置としては開閉体の開閉に応じてコイルに通電し、このコイルから磁気を発生するようにしてもよい。
【００１１】
上記開閉体は住宅の内外を仕切る窓、ドアに限定されず、住宅内部に備えられる窓、ドア、障子、襖、等を含むことができる。また、開閉体は住宅に限定されず、倉庫、船室、等のあらゆる構造物で配備される窓やドア等の開閉体を含むことができる。
【００１２】
本発明によれば、開閉体である例えば窓側に例えば磁気発生装置として磁石を配備し、例えば窓枠側で窓が閉じた位置では磁石の発生磁気を検知できるが窓が開いた位置ではその発生磁気を検知できない位置に無線磁気センサを配備した場合、窓が開くと、無線磁気センサは磁石の磁気を検知できず、そのことを無線で無線受信装置に送信する。この場合、特定小電力無線で送信するので、他の無線磁気センサの送信信号とは混信せず、また、妨害無線があった場合でも、無線受信装置は無線磁気センサの検知信号を受信することができる。そして、このセキュリティシステムでは、磁気センサ出力を配線で引き回す必要が無いので、配線引き回しが困難な箇所でも採用できる上、窓やドアなどに磁気センサを取り付けた場合、配線が無いので、住宅等の外観上の見栄えがよい。
【００１３】
好ましくは上記セキュリティ作動装置が鳴動装置である。窓が開いたことが無線磁気センサで検知され、その無線磁気センサの検知信号が受信装置で受信されると、ブザー等の鳴動装置が鳴動することにより、窓等が侵入者により開けられたことを知ることができる。
【００１４】
好ましくは上記セキュリティ作動装置が、受信装置の出力に応答して通報動作を行うプログラマブルコントローラである。窓が開いたことが無線磁気センサで検知され、その無線磁気センサの検知信号が受信装置で受信されると、プログラマブルコントローラはその受信出力に応答して外部機器例えばブザーを駆動したりあるいは管理センターに通報したりすることができ、セキュリティを図ることができる。
【００１５】
本発明による無線磁気センサは、上記磁気発生装置が発生する磁気を上記開閉体の開閉位置に対応して検知することが可能な位置に固定配備され、上記磁気発生装置および上記無線受信装置と共にセキュリティセットを構成することを特徴とするものである。
【発明の効果】
【００１６】
本発明によれば、窓やドアからの侵入を磁気センサを用いて検知する場合、そのセンサ出力を無配線で受信側に送信可能としかつこれら窓やドアに多数の磁気センサを配備しそれらからセンサ出力を無線で送信しても混信することなく受信可能としてセキュリティ性の高いシステムを構築することができる。
【発明を実施するための最良の形態】
【００１７】
以下、本発明の実施の形態に係るセキュリティシステムを図面に基づいて説明する。実施の形態ではセキュリティされる対象である開閉体として窓を挙げているがこれに限定されずドアやその他の開閉体に適用することができるものである。図１はセキュリティシステムの概略構成を示しており、このセキュリティシステムは、住宅が備える開口部に引き違いされる左右一対の窓２，４（開閉体）が設けられている。この両窓２，４において図で左側窓２と右側窓４それぞれに磁気発生装置としての磁石６，８が固定され、これら磁石６，８それぞれに１対１で対向する左右窓枠９側に無線磁気センサ１０，１２が固定される。無線磁気センサ１０，１２の固定位置は窓枠に限定されず、窓２，４の閉じている状態で磁石６，８の発生磁気を検知することができればよい。
【００１８】
両窓２，４が閉じている状態では、左右それぞれの磁石６，８と無線磁気センサ１０，１２とが対向していて無線磁気センサ１０，１２は磁石６，８が発生する磁気を所定レベル以上で検知することができるが、例えば図示するごとく右側窓４が開くと、右側の無線磁気センサ１２からは磁石８が遠ざかるために該磁石８が発生する磁気を所定レベル以上で検知することができなくなる。右側窓４の開き度合いから無線磁気センサ１２が検知できる磁石８の発生磁気のレベルは変化する。この場合、右側の無線磁気センサ１２からは窓４が開いたことを示す信号、あるいは窓４の開き度合いを示す信号を制御盤１４の無線受信装置１６に特定小電力無線で送信するようになっている。
【００１９】
制御盤１４は上記無線受信装置１６と、この無線受信装置１６に有線接続された鳴動装置であるブザー１８と、プログラマブルロジックコントローラからなる制御装置２０とを備える。
【００２０】
無線受信装置１６は、無線磁気センサ１２からの磁石８の発生磁気を検知できないとか、あるいは検知できる磁気のレベルが低下したとの送信信号、例えば住宅内に侵入者が居る、あるいは侵入しようとする者が居る等の送信信号を特定小電力無線で受信しその受信信号をブザー１８および制御装置２０に出力する。ブザー１８はこの受信信号の入力に応答して鳴動すると共に制御装置２０は図示略のセキュリティ管理センターに通報動作するようになっている。ブザー１８、制御装置２０、上記セキュリティ管理センター等はセキュリティ作動装置と称する。また、無線磁気センサ１０，１２は、磁石６，８、無線受信装置１６、ブザー１８、制御装置２０と共にセキュリティセットを構成する。
【００２１】
図２を参照して無線磁気センサ１２の構成を説明する。なお、無線磁気センサ１０やその他の無線磁気センサも同様の構成である。無線磁気センサ１２は、磁石８の発生磁気を検知する磁気検知部２２と、上記磁気検知部２２の検知信号を送信ＩＤコードを含めて無線送信可能な検知信号の形態に処理する回路部２４と、この回路部２４の処理に係る信号を電波送信するアンテナ２６と、電源スイッチ２８と、電池電源３０と、を備える。
【００２２】
磁気検知部２２は、磁性体で構成された一組のリード片が、不活性ガスとともにガラス管内に封人されたリードスイッチ（磁気スイッチ）で構成されている。
【００２３】
回路部２４は、電波法施行規則第６条に定める特定小電力無線で送信するものであり、磁気検知部２２の検知信号の演算やその他の制御をするＣＰＵ３２ａと、ＩＤコード等を記憶しているＲＡＭ３２ｂと、制御プログラムを記憶しているＲＯＭ３２ｃとからなるマイクロコンピュータ３２と、マイクロコンピュータ３２からの出力データ（送信キャリア、ＩＤコード、検知信号）を入力し、ＩＤコードと検知出力を上記キャリアで変調して送信信号を生成する無線処理部３４と、特定小電力無線における送信周波数のｎチャネルの組み合わせから無線受信装置１６との間で予め使用するチャネルを調整するチャネル調整部としてディップスイッチ３６と、を備える。磁気検知部２２と回路部２４には電池電源３０から電源が供給される。。
【００２４】
この無線処理部３４における無線送信は、特定小電力無線通信方式による。特定小電力無線通信は、電波法で定めた周波数帯（例えば、４２６．０２５〜４２６．１３７５帯１０波、４２９．２５０〜４２９．７３７５帯  ４０波）を使用するものであり、その送信強度はそれぞれ１ｍＷ、１０ｍＷである。また、この送信では、定められた周波数帯で互いに電波干渉を防止するために送信前に同一電波の使用が無いかを確認するキャリアセンスは、上記１０波１ｍＷでは義務付けられておらず、上記４０波１０ｍＷでは義務付けられている。すなわち、送信前には同一電波が周囲に無いか使用周波数帯域の周波数スキャンを行い、周波数が存在する場合には、別の周波数へ移行し、周波数干渉が無い場合はその周波数で送信する。そのため、これらは互いの送信信号と電波干渉を防止することができる。無線処理部からの送信信号は、アンテナから空中へ電波の形で放射される。
【００２５】
図３を参照して無線受信装置１６を説明する。無線受信装置１６は、無線磁気センサ１２のアンテナ２６から送信された電波を捕捉するアンテナ４０と、送受信の切替を行うスイッチ４２と、フィルタ４４と、アンテナ４０で受信した検知信号の処理とアンテナ４０を介してデータを送信するための送信処理とを行う送受信処理部４６と、全体の制御を行うマイクロコンピュータ４８と、受信周波数を調整するディップスイッチ５０と、出力部５２とから構成されている。
【００２６】
マイクロコンピュータ４８は、演算制御を行うＣＰＵ４８ａと、ＩＤコード等のデータを記憶するＲＡＭ４８ｂと、制御プログラムを記憶するＲＯＭ４８ｃとから構成されている。無線受信装置１６内部の各回路部にはＤＣ電源部５４から電源が供給されるようになっている。
【００２７】
無線受信装置１６は、スイッチ４２が受信側に切り替わっている場合、アンテナ４０を介して受信した信号から特定小電力無線電波を選択し、復調して、ＩＤコードを含むセンサデータを得て、マイクロコンピュータ４８に入力する。この場合、送受信処理部４６にはマイクロコンピュータ４８からディップスイッチ５０で調整した受信周波数データが与えられており、この受信周波数により上記復調を行う。
【００２８】
なお、図４を参照して、１台の無線受信装置１６により、複数の住宅それぞれに無線磁気センサ１２（符号は１２で代表）からの検知信号を管理してセキュリティを行う場合を説明すると、各住宅Ｇａ，Ｇｂ，…は、特定小電力無線通信を行う複数の無線磁気センサとこれらと対となる磁石とを備えている。
【００２９】
住宅Ｇａ内の無線磁気センサ１２それぞれの送信周波数はｆ１であり、住宅Ｇｂ内の無線磁気センサ１２それぞれの送信周波数はｆ２であり、…となっている。このように同じ住宅Ｇａ，Ｇｂ…内の各無線磁気センサ１２それぞれの送信周波数は同一である。また、同じ住宅Ｇａ，Ｇｂ…内の各無線磁気センサ１２それぞれは相異なるＩＤコードを持っている。
【００３０】
無線受信装置１６は、対応する住宅Ｇａ，Ｇｂ，…内の無線磁気センサ１２それぞれの送信周波数の受信が可能な周波数に設定されている。なお、１つの住宅Ｇａ，Ｇｂ…内の無線磁気センサ１２からの送信周波数を受信する無線受信装置１６の受信感度は調整可能になっている。また、同じ住宅内では互いの無線磁気センサ１２は送信周波数の信号と干渉しないよう離して設置することが好ましい。
【００３１】
以上説明したように実施の形態では、磁石６，８の発生磁気を無線磁気センサ１０，１２で検知できなくなると、そのことを示す信号を無線受信装置１６に無線で送信すると共に無線受信装置１６出力に応答してブザ−１８や制御装置２０が応答するので、外出等におけるセキュリティを向上することができると共に、窓やドア等に配線が無くなり外観の見栄えが向上し、セキュリティ設備構築のための工事費用が安価に済む。
【図面の簡単な説明】
【００３２】
【図１】図１は本発明の実施の形態に係るセキュリティシステムの概略構成を示す図である。
【図２】図２は図１のセキュリティシステムに用いる無線磁気センサのブロック回路図である。
【図３】図３は図１のセキュリティシステムに用いる無線受信装置のブロック回路図である。
【図４】図４は無線磁気センサと無線受信装置との間の送受信構成の説明に供する図である。
【符号の説明】
【００３３】
２，４  窓（開閉体）
６，８  磁石（磁気発生装置）
１０，１２  無線磁気センサ
１４  制御盤
１６  無線受信装置
１８  ブザー（セキュリティ作動装置）
２０  制御装置（セキュリティ作動装置）
【図１】
2008217519.tif 000003
【図２】
2008217519.tif 000004
【図３】
2008217519.tif 000005
【図４】
2008217519.tif 000006